(57)【要約】      （修正有）【課題】折り畳み時において配線基板に設けられたフレキシブル回路コネクタの剥離を防止する配線基板、配線装置および情報記録装置を提供する。【解決手段】配線基板は紙基板３０と、配線とを備える。紙基板３０は少なくとも第１基板３０ｂ１と、第２基板３０ｂ２とを有する。第１基板３０ｂ１と第２基板３０ｂ２との間の折曲部６４Ａにフレキシブル回路コネクタ８０Ｂが設けられている。紙基板３０側の第１固着部４１ａと第２固着部４１ｂとの間の距離をａとし、フレキシブル回路コネクタ８０Ｂの第１接着部４２ａと第２接着部４２ｂとの間の距離をｂとすると、ａ＜ｂとなる。【選択図】図９Ａ
2020035796.tif 000002
【特許請求の範囲】
【請求項１】
紙基板と、
前記紙基板上に設けられた配線とを備え、
前記紙基板は第１基板と、この第１基板に折曲部を介して折曲自在に連結された第２基板とを有し、
前記配線は、前記第１基板と前記第２基板との間の折曲部を跨いで設けられたフレキシブル回路コネクタを有し、
前記フレキシブル回路コネクタは前記第１基板側の第１固着部に接着される第１接着部と、前記第２基板側の第２固着部に接着される第２接着部とを有し、
前記第１基板と前記第２基板を平坦状に延ばした場合における前記第１固着部と前記第２固着部との間の前記折曲部に直交する方向の距離をａとし、前記フレキシブル回路コネクタを平坦状に延ばした場合における前記第１接着部と前記第２接着部との間の前記折曲部に直交する方向の距離をｂとしたとき、ａ＜ｂとなる、配線基板。
【請求項２】
０．０５×ａ＜ｂ−ａ＜０．１×ａとなる、請求項１記載の配線基板。
【請求項３】
紙基板と、
前記紙基板上に設けられた配線とを備え、
前記紙基板は第１基板と、この第１基板に折曲部を介して折曲自在に連結された第２基板とを有し、
前記配線は、前記第１基板と前記第２基板との間の折曲部を跨いで設けられたフレキシブル回路コネクタを有し、
前記フレキシブル回路コネクタは前記第１基板側の第１固着部に接着される第１接着部と、前記第２基板側の第２固着部に接着される第２接着部とを有し、
前記第１基板と前記第２基板を平坦状に延ばした場合における前記第１固着部と前記第２固着部との間の前記折曲部に直交する方向の距離をａとし、前記フレキシブル回路コネクタを平坦状に延ばした場合における前記第１接着部と前記第２接着部との間の前記折曲部に直交する方向の距離をｂとしたとき、ａ＜ｂとなる、配線基板と、
前記配線に接続された通信モジュールとを備えた、配線装置。
【請求項４】
紙基板と、
前記紙基板上に設けられた配線とを備え、
前記紙基板は第１基板と、この第１基板に折曲部を介して折曲自在に連結された第２基板とを有し、
前記配線は、前記第１基板と前記第２基板との間の折曲部を跨いで設けられたフレキシブル回路コネクタを有し、
前記フレキシブル回路コネクタは前記第１基板側の第１固着部に接着される第１接着部と、前記第２基板側の第２固着部に接着される第２接着部とを有し、
前記第１基板と前記第２基板を平坦状に延ばした場合における前記第１固着部と前記第２固着部との間の前記折曲部に直交する方向の距離をａとし、前記フレキシブル回路コネクタを平坦状に延ばした場合における前記第１接着部と前記第２接着部との間の前記折曲部に直交する方向の距離をｂとしたとき、ａ＜ｂとなる、配線基板と、
前記配線基板上に設けられ、使用者が押圧可能な複数のボタンと、
前記配線基板上に設けられ、前記ボタンに接続された通信モジュールとを備え、
前記通信モジュールは使用者が押圧した前記ボタンの押圧情報を記憶する記憶部と、前記記憶部に記憶された情報を外部へ出力する出力インターフェース部とを有する、情報記録装置。
【請求項５】
前記配線基板上に、前記ボタンが押圧された際に押圧確認を行う発光部を設けた、請求項４記載の情報記録装置。
【発明の詳細な説明】
【技術分野】
【０００１】
本開示の実施の形態は、ボタンの押圧情報を記憶して、記憶された情報を外部に伝送するインタフェース機能を備えた配線基板、配線装置および情報記録装置に関する。
【背景技術】
【０００２】
紙などの折り畳み可能なシート材に通信機能を内蔵させて、ある限られた期間だけ外部との無線通信を行い、その期間が終了すると、廃棄することを前提した装置が提案されている（特許文献１参照）。
【０００３】
この特許文献１に開示された使い捨て式自己充足型測定装置は、センサを含むデータ入力・試料採取部分とデータ取得部分とを、印字可能で折り畳み可能なシート材で密封したものである。この装置では、シート材として、紙などの安価で廃棄が容易な材料を用いることを想定している。
【０００４】
また、特許文献１には、シート材に、音声要素と視覚表示器等の付加的手段を設けてもよいことが記載されている。
【０００５】
さらに、特許文献２には、患者が自分自身の健康状態を記録して表示可能な携帯装置が開示されている。
【先行技術文献】
【特許文献】
【０００６】
【特許文献１】特許５０７４１９３号公報
【特許文献２】特許３２５０８１０号公報
【発明の概要】
【発明が解決しようとする課題】
【０００７】
このような装置において、シート材は配線を有しており、かつシート材は折り畳まれて使用される。この場合、シート材を繰り返して折り畳んだ際、配線が破断することが考えられるためシート材の折曲部には、フレキシブル回路コネクタが設けることが検討されている。
【０００８】
またシート材をフレキシブル回路コネクタ側が内側になるよう折り畳む際、フレキシブル回路コネクタは外方へたわむことになり、フレキシブル回路コネクタに特に引っ張り力がかかることはない。
【０００９】
他方、フレキシブル回路コネクタが外側になるよう、シート材を折り畳んだ場合、フレキシブル回路コネクタに引っ張り力が加わって、フレキシブル回路コネクタがシート材から剥離することが考えられる。
【００１０】
本開示の実施形態はこのような点を考慮してなされたものであり、フレキシブル回路コネクタを内側に向けて折り畳んだ場合、フレキシブル回路コネクタを外側に向けて折り畳んだ場合のいずれの場合もフレキシブル回路コネクタが紙基板から剥離することがない、配線基板、配線装置および情報記録装置を提供することを目的とする。
【課題を解決するための手段】
【００１１】
本開示の実施の形態は、紙基板と、前記紙基板上に設けられた配線とを備え、前記紙基板は第１基板と、この第１基板に折曲部を介して折曲自在に連結された第２基板とを有し、前記配線は、前記第１基板と前記第２基板との間の折曲部を跨いで設けられたフレキシブル回路コネクタを有し、前記フレキシブル回路コネクタは前記第１基板側の第１固着部に接着される第１接着部と、前記第２基板側の第２固着部に接着される第２接着部とを有し、前記第１基板と前記第２基板を平坦状に延ばした場合における前記第１固着部と前記第２固着部との間の前記折曲部に直交する方向の距離をａとし、前記フレキシブル回路コネクタを平坦状に延ばした場合における前記第１接着部と前記第２接着部との間の前記折曲部に直交する方向の距離をｂとしたとき、ａ＜ｂとなる、配線基板である。
【００１２】
本開示の実施の形態に係わる配線基板は、０．０５×ａ＜ｂ−ａ＜０．１×ａとなる、ことが好適である。
【００１３】
本開示の実施の形態は、紙基板と、前記紙基板上に設けられた配線とを備え、前記紙基板は第１基板と、この第１基板に折曲部を介して折曲自在に連結された第２基板とを有し、前記配線は、前記第１基板と前記第２基板との間の折曲部を跨いで設けられたフレキシブル回路コネクタを有し、前記フレキシブル回路コネクタは前記第１基板側の第１固着部に接着される第１接着部と、前記第２基板側の第２固着部に接着される第２接着部とを有し、前記第１基板と前記第２基板を平坦状に延ばした場合における前記第１固着部と前記第２固着部との間の前記折曲部に直交する方向の距離をａとし、前記フレキシブル回路コネクタを平坦状に延ばした場合における前記第１接着部と前記第２接着部との間の前記折曲部に直交する方向の距離をｂとしたとき、ａ＜ｂとなる、配線基板と、前記配線に接続された通信モジュールとを備えた、配線装置である。
【００１４】
本開示の実施の形態は、紙基板と、前記紙基板上に設けられた配線とを備え、前記紙基板は第１基板と、この第１基板に折曲部を介して折曲自在に連結された第２基板とを有し、前記配線は、前記第１基板と前記第２基板との間の折曲部を跨いで設けられたフレキシブル回路コネクタを有し、前記フレキシブル回路コネクタは前記第１基板側の第１固着部に接着される第１接着部と、前記第２基板側の第２固着部に接着される第２接着部とを有し、前記第１基板と前記第２基板を平坦状に延ばした場合における前記第１固着部と前記第２固着部との間の前記折曲部に直交する方向の距離をａとし、前記フレキシブル回路コネクタを平坦状に延ばした場合における前記第１接着部と前記第２接着部との間の前記折曲部に直交する方向の距離をｂとしたとき、ａ＜ｂとなる、配線基板と、前記配線基板上に設けられ、使用者が押圧可能な複数のボタンと、前記配線基板上に設けられ、前記ボタンに接続された通信モジュールとを備え、前記通信モジュールは使用者が押圧した前記ボタンの押圧情報を記憶する記憶部と、前記記憶部に記憶された情報を外部へ出力する出力インターフェース部とを有する、情報記録装置である。
【００１５】
本開示の実施の形態に係わる情報記録装置は、前記配線基板上に、前記ボタンが押圧された際に押圧確認を行う発光部を設けた、ことが好適である。
【発明の効果】
【００１６】
以上のように本開示の実施の形態によれば、フレキシブル回路コネクタを内側に向けて紙基板を折り畳んだ際、およびフレキシブル回路コネクタを外側に向けて紙基板を折り畳んだ際、いずれの場合もフレキシブル回路コネクタが紙基板から剥離することはない。
【図面の簡単な説明】
【００１７】
【図１】図１は本開示の実施形態に係る情報記録装置の外観図。
【図２】図２は図１の情報記録装置の展開図。
【図３】図３は通信モジュールの概略構成を示すブロック図。
【図４】図４はＡＳＩＣの内部構成の一例を示すブロック図。
【図５Ａ】図５Ａは服薬記録カードの元となる紙基板を展開した図。
【図５Ｂ】図５Ｂは係止片近傍を示す拡大図。
【図６Ａ】図６Ａはフレキシブル回路コネクタを示す平面図。
【図６Ｂ】図６Ｂは図６ＡのＢ−Ｂ線断面図。
【図７Ａ】図７Ａはフレキシブル回路コネクタを示す側断面図。
【図７Ｂ】図７Ｂはフレキシブル回路コネクタを示す側断面図。
【図８】図８はフレキシブル確認回路と通信モジュールの接続関係を示す図。
【図９Ａ】図９Ａはフレキシブル回路コネクタの紙基板への取り付け構造を示す側面図。
【図９Ｂ】図９Ｂは平坦状に延ばした紙基板とフレキシブル回路コネクタを示す側面図。
【図１０】図１０は本発明の変形例を示す紙基板の展開図。
【発明を実施するための形態】
【００１８】
＜本実施の形態＞
以下、本実施の形態について、詳細に説明する。  
本実施形態は、患者が薬を服用した日時と服用後の具合を記録する情報記録装置であって、図１はその外観図である。図１の情報記録装置は、シート状の服薬記録カードからなり、折り畳み式になっていて、展開すると図２のような情報入力面２が現れる。情報記録装置１としての服薬記録カードは後述する紙基板３０と、紙基板３０上に設けられた導電回路（以下、配線ともいう）１８Ａと、この導電回路１８Ａに回路コネクタ９０を介して接続された無線送信可能な通信モジュール１０とを備えている（図３および図５Ａ参照）。
【００１９】
このうち紙基板３０と、この紙基板３０上に設けられた導電回路（配線）１８Ａとにより、回路基板（以下、配線基板ともいう）７０が構成されている。なお、回路コネクタ９０は必ずしも設ける必要はなく、また回路コネクタ９０はフレキシブルなコネクタでも堅固なコネクタであってもよい。
【００２０】
服薬記録カードからなる情報記録装置１について更に述べる。服薬記録カードは使用者、例えば患者が病院での診察を終えて、処方箋に基づいて薬の調合が終わった段階で患者に渡されるものである。この服薬記録カードでは、患者が薬を服用した後に、患者自ら選択ボタンを押圧して、体の具合を記録できるようにしている。
【００２１】
図２の服薬記録カードの情報入力面２は３面構成であり、第１面２ａにはスタートボタン３と取り消しボタン４が設けられ、第２面２ｂには患者が服用すべき薬（錠剤）５が配置され、第３面２ｃには患者の症状の度合いを入力するための選択ボタンが配置されている。第１面２ａの裏面側が図１の「服薬記録カード」と記載された面である。
【００２２】
第３面２ｃには、薬の効用に関連する複数の症状が記載されている。図２の例では、（１）症状１、（２）症状２、（３）症状３、（４）症状４および（５）症状５の計５種類の症状が記載され、各症状ごとに、３通りの度合い（重度、中度、軽度）から一つを選択可能になっている。患者は、まず、５種類の症状に対応する選択ボタン６ａ〜６ｅからなる第１ボタン列６のいずれかを押圧して、特定の症状を選択した後に、引き続いて、その症状の度合いに対応する選択ボタン７ａ〜７ｃからなる第２ボタン列７のいずれかを押圧する。これにより、患者は、薬を服用した後に特定の症状の度合いを入力できる。患者は、必ずしも５種類の症状のすべてに回答する必要はなく、一部の症状のみに回答してもよい。
【００２３】
第１ボタン列６を構成する各選択ボタン６ａ〜６ｅは図２のＸ方向に沿って配置され、第２ボタン列７を構成する各選択ボタンは、第１ボタン列６に略平行にＹ方向に沿って複数列にわたって配置されている。
【００２４】
なお、第３面２ｃに記載された症状とその度合いは、あくまで一例にすぎず、薬の種類によって任意に変更して構わない。
【００２５】
患者は、服薬記録カードの使用を開始するときに、スタートボタン３を押圧する。その後、患者は、第２面２ｂに配置された錠剤５のケース５ａを指で押し込んで、第２面２ｂの下面側から薬を取り出して、服用する。そして、服用後の症状の度合いに該当する選択ボタン６、７を押圧する。
【００２６】
患者が押圧したスタートボタン３、取り消しボタン４、錠剤５の各ケースおよび各選択ボタン６、７の情報は、服薬記録カード内に内蔵された通信モジュール１０に自動的に記憶される仕組みになっている。
【００２７】
図３は上述した無線通信可能な通信モジュール１０の概略構成を示すブロック図である。図３の通信モジュール１０は、樹脂基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、樹脂基板１１の長辺に沿って形成される複数のパッド１６と、樹脂基板１１の外縁部に沿って形成されるアンテナパターン１７ａと、樹脂基板１１上に形成される導電パターン１７ｂとを有する。
【００２８】
図３は通信モジュール１０の内部構成を機能化したブロック図であり、実際の各回路部品やパターンの配置やサイズ、形状、個数は任意に変更可能である。
【００２９】
図４はＡＳＩＣ１２の内部構成の一例を示すブロック図である。図４のＡＳＩＣ１２は、患者が押圧したスタートボタン３、取り消しボタン４、錠剤５の各ケースおよび各選択ボタンの情報を時刻情報とともに時系列で記憶する記憶部２１と、記憶部２１に押圧情報を記憶する制御を行う制御部２２と、不図示のホストコンピュータとの間で無線通信を行う無線通信部（出力インターフェース部）２３とを有する。
【００３０】
また制御部２２は、患者がボタンを押圧した際、その押圧された情報を後述するフレキシブル確認回路１００のＬＥＤ発光部１０２を駆動させて発光させる。
【００３１】
記憶部２１は、患者が押圧したボタンを特定する情報と、そのボタンが押圧された時刻情報とを組にして記憶する。取り消しボタン４は、取り消しボタン４が押圧される直前に押圧されたボタンの情報を取り消すことを意図したものである。ホストコンピュータは、記憶部２１に取り消しボタン４の押圧を特定する情報と、そのボタンが押圧された時刻情報とが記憶されている場合は、取り消しボタン４の直前に押圧されたボタンの情報を取り消す。
【００３２】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）やBluetooth（登録商標）等の非接触通信を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行い、Bluetoothの場合は規格で定めた周波数（例えば２．４ＧＨｚ）で無線通信を行う。
【００３３】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００３４】
次に、本実施形態に係る服薬記録カードの具体的構造について説明する。上述した服薬記録カード１は、１枚の紙基板を縦方向に三等分して折り畳んだ三層構造であり、その表面に図２に示す情報入力面２が現れるようにしている。これをさらに後述する２本の折曲線６４に沿って横方向に三等分して折り畳むと図１に示す構造になる。以下では、大元の１枚の紙基板に形成される導電パターンについて説明する。
【００３５】
図５Ａは服薬記録カードの元となる紙基板３０を展開した図である。図５Ａの紙基板３０を縦方向に延びる折曲線６１で三等分に分割した各分割基板３０ａ、３０ｂ、３０ｃには、それぞれ異なる導電パターン１８や切り欠き等が設けられる。なお、これら３つの分割基板３０ａ〜３０ｃは、折曲線６１で折り曲げ可能とされており、物理的に切り離されるものではない。また、分割基板３０ｂは上述のように、横方向に延びる２本の折曲線６４からなる折曲部６４Ａを有し、分割基板３０ｂはこの折曲部６４Ａを介して三等分に折り畳まれる。
【００３６】
図５Ａの中央の分割基板３０ｂは、最下層に配置されて導電パターン１８が形成される最下層基板３０ｂである。その右側の分割基板３０ｃは、主に切り欠き６２とミシン目６３を有し、最下層基板３０ｂの上に配置される中間層基板３０ｃである。最下層基板３０ｂの左側の分割基板３０ａは、スイッチ接点の導通／遮断を行う導電パターン３８を有し、中間層基板３０ｃの上に配置される最上層基板３０ａである。
【００３７】
後述するように、三等分された最下層基板３０ｂに中間層基板３０ｃを折り畳んで熱圧着した後に、その上に錠剤５を収納するケース５ａ含む成形シートを載せ、その上に最上層基板３０ａを折り畳んで熱圧着することにより、図２の構造が得られる。したがって、図５Ａに示す最上層基板３０ａの裏面側が、図２に示す情報入力面２になる。
【００３８】
最下層基板３０ｂの上に中間層基板３０ｃを折り畳んで熱圧着する前に、最下層基板３０ｂに通信モジュール１０が接合され、その上に最上層基板３０ａが熱圧着される。このように、通信モジュール１０は、最下層基板３０ｂと最上層基板３０ａの間に挟み込まれる。これにより、最下層基板３０ｂの表面に形成された導電パターン１８と通信モジュール１０は、服薬記録カードの完成状態では、外見に現れない。同様に、最上層基板３０ａ上の導電パターンも、中間層基板３０ｃの上に折り畳まれて熱圧着されるため、外見に現れない。
【００３９】
次に、最下層基板３０ｂの表面に形成された導電パターン１８について図５Ａを用いて説明する。図５Ａの導電パターン１８は、三等分された基板３０ｂ１，３０ｂ２，３０ｂ３を含む情報入力面２に対応した３つのパターン面を有する。
【００４０】
基板３０ｂ１に対応するパターン面は、スタートボタン３に対応したスイッチ接点３１と、取り消しボタン４に対応したスイッチ接点３２とを有する。基板３０ｂ２に対応するパターン面は、錠剤５の各ケースに対応した計６つのスイッチ接点３３を有する。基板３０ｂ３に対応するパターン面は、患者の症状および症状の程度を選択する各選択ボタンに対応した計２０個のスイッチ接点３４〜３７を有する。
【００４１】
これらスイッチ接点３１〜３７のうち、錠剤５の各ケースに５ａ対応した計６つのスイッチ接点３３は初期状態で導通しており、それ以外の全てのスイッチ接点３１、３２、３４〜３７は初期状態で遮断されている。
【００４２】
錠剤５の各ケース５ａに対応したスイッチ接点３３は、ケース５ａを押圧して錠剤５を取り出す際に物理的に破断されて、電気的導通が遮断される。それ以外のスイッチ接点３１、３２、３４〜３７は、対応するボタンを押圧したときに、情報入力面２の裏面側に設けられた円形の導電パターン３８が対応するスイッチ接点に接触して、押圧している間だけ一時的に導通する。
【００４３】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【００４４】
図５Ａに示す各スイッチ接点３１〜３７の一端は、導電パターン１８を介して第１基板３０ｂ１のパターン面上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、基板３０ｂ１〜３０ｂ３の外縁に沿って、他の導電パターンとスイッチ接点を取り囲むように形成されている。
【００４５】
この接地パターン１８ａは、ノイズの低減を図るために、他の導電パターンよりも太く形成されている。
【００４６】
ここで上述した導電パターン１８と接地パターン１８ａとにより、導電回路１８Ａが構成される。また導電回路１８Ａに端子部３９が接続される。また紙基板３０と、紙基板３０上に形成された導電回路１８Ａとにより通信モジュール１０が接合される前の回路基板７０が構成される。
【００４７】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報と、接点の状態が変化した時刻情報とを記憶する。
【００４８】
基板３０ｂ３のパターン面上の各スイッチ接点は、Ｘ方向に沿って配置される第１ボタン列に対応する第１スイッチ接点列３４と、第１ボタン列に略平行にＹ方向に沿って配置される複数の第２ボタン列に対応する複数の第２スイッチ接点列３５〜３７とにグループ分けされている。
【００４９】
第２スイッチ接点列３５〜３７のそれぞれにおける計５個のスイッチ接点の一端側はいずれも共通の端子に接続され、他端側はいずれも接地端子に接続されており、これら５個のスイッチ接点は並列接続されている。図５Ａの例では、計５個のスイッチ接点が並列接続された第２スイッチ接点列３５〜３７が計３個設けられている。
【００５０】
並列接続された各スイッチ接点列３５〜３７内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点列３５〜３７内のスイッチ接点の状態を変化させる前に、第１スイッチ接点列３４内のスイッチ接点の状態を変化させるようにルール化することで、第２スイッチ接点列３５〜３７内のどのスイッチ接点の状態が変化したかを特定している。
【００５１】
より具体的には、まず第１スイッチ接点列３４内のいずれかのスイッチ接点の状態を変化させて、このスイッチ接点のＸ方向位置を検出する。そして、同じＸ方向位置にある第２スイッチ接点列３５〜３７内の計３個のスイッチ接点を選択候補として決定する。次に、これら３個のスイッチ接点の中で、状態が変化したものがあれば、そのスイッチ接点の情報を通信モジュール１０に伝達する。
【００５２】
このように、第１スイッチ接点列３４内のスイッチ接点の状態変化情報と、第２スイッチ接点列３５〜３７内のスイッチ接点の状態変化情報とを組み合わせることで、第２スイッチ接点列３５〜３７内の特定のスイッチ接点の状態を正しく通信モジュール１０に伝達することができる。
【００５３】
複数のスイッチ接点を並列接続して、一端側を共通の端子に接続することは、端子部３９内の端子の総数と導電パターン１８の数を削減できることから、特にパターン面積が限られている場合に有効である。第２スイッチ接点列３５〜３７内の複数のスイッチ接点を並列接続しても、第２スイッチ接点列３５〜３７と平行に配置された第１スイッチ接点列３４内のスイッチ接点の状態と組み合わせることで、第２スイッチ接点列３５〜３７内の特定のスイッチ接点の状態を正確に特定できるため、実用上の問題は起きない。  
このように、本実施形態に係る服薬記録カード１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【００５４】
次に図５Ａおよび図５Ｂにより情報記録装置１の紙基板３０について説明する。紙基板３０は縦方向に延びる折曲線６１を介して互いに連結された３つの分割基板３０ａ，３０ｂ，３０ｃを有する。このうち分割基板３０ａは最上層基板３０ａとなり、分割基板３０ｂは最下層基板３０ｂとなり、分割基板３０ｃは中間層基板３０ｃとなっている。
【００５５】
また最上層基板３０ａは、横方向に延びる分離線６５を介して、３つの基板３０ａ１，３０ａ２，３０ａ３に分離されている。また中間層基板３０ｃも、横方向に延びる分離線６５を介して、３つの基板３０ｃ１，３０ｃ２，３０ｃ３に分離されている。
【００５６】
さらに、最下層基板３０ｂは、横方向に延びる一対の折曲線６４，６４からなる折曲部６４Ａを介して、３つの基板３０ｂ１，３０ｂ２，３０ｂ３に折り曲げ可能となっている。図５Ａおよび図５Ｂにおいて、最下層基板３０ｂは２つの折曲部６４Ａを介して３つの基板３０ｂ１，３０ｂ２，３０ｂ３に折り曲げられる。
【００５７】
なお、本実施の形態において、「横方向」、「縦方向」とは、紙基板３０を図５Ａに示す状態に配置した場合における「横方向」、「縦方向」を意味する。
【００５８】
また最下層基板３０ｂには、導電パターン１８と接地パターン１８ａとからなる導電回路１８Ａが設けられている。また最下層基板３０ｂの折曲部６４Ａ近傍には、折曲部６４Ａを介して最下層基板３０ｂを繰り返し折り曲げた場合でも、導電回路１８Ａが破断したり破損することを防止するため、フレキシブル回路コネクタ８０Ａ、８０Ｂが設けられている。
【００５９】
具体的には最下層基板３０ｂは横方向に延びる２本の折曲部６４Ａを介して三等分に折り畳まれるが、この場合、最下層基板３０ｂは２本の折曲部６４Ａにより、基板（第１基板ともいう）３０ｂ１、基板（第２基板ともいう）３０ｂ２、基板（第３基板ともいう）３０ｂ３とに区画され、基板３０ｂ２と基板３０ｂ３との間の折曲部６４Ａを跨いでフレキシブル回路コネクタ８０Ａが設けられ、基板３０ｂ１と基板３０ｂ２との間の折曲部６４Ａを跨いでフレキシブル回路コネクタ８０Ｂが設けられている。
【００６０】
なお中間層基板３０ｃは、分離線６５を介して３つの基板３０ｃ１，３０ｃ２，３０ｃ３に分離されているが、このうち基板３０ｃ１は第１基板３０ｂ１の横方向右側へ延びる第１側板となり、基板３０ｃ２は第２基板３０ｂ２の横方向右側へ延びる第２側板となる。また、基板３０ｃ３は、第３基板３０ｂ３の横方向右側に延びる第３側板となる。
【００６１】
また、最上層基板３０ａは、分離線６５を介して３つの基板３０ａ１，３０ａ２，３０ａ３に分離されているが、このうち基板３０ａ１は第１基板３０ｂ１の横方向左側へ延びる第１追加側板となり、基板３０ａ２は第２基板３０ｂ２の横方向左側へ延びる第２追加側板となる。基板３０ａ３は、第３基板３０ｂ３の横方向左側に延びる第３追加側板となる。
【００６２】
フレキシブル回路コネクタ８０Ａ、８０Ｂは、略同様の構造をもつため、ここではフレキシブル回路コネクタ８０Ｂについて図６Ａおよび図６Ｂにより説明する。
【００６３】
図６Ａおよび図６Ｂに示すように、導電回路１８Ａのうち第１基板３０ｂ１上の導電回路は、第１導電回路（第１配線ともいう）９３となっており、第２基板３０ｂ２上の導電回路は第２導電回路（第２配線ともいう）９４となっている。
【００６４】
フレキシブル回路コネクタ８０Ｂは最下層基板３０ｂのうち、折曲部６４Ａを介して連結された第１基板３０ｂ１と第２基板３０ｂ２との間に折曲部６４Ａを跨いで設けられ、第１基板３０ｂ１側の第１導電回路９３と第２基板３０ｂ２側の第２導電回路９４とを接続するものである。この場合、第１基板３０ｂ１上の第１導電回路９３と第２基板３０ｂ２上の第２導電回路９４は互いに離間し、フレキシブル回路コネクタ８０Ｂを設けることにより、初めて導通するようになっている。しかしながら、フレキシブル回路コネクタ８０Ｂがない場合でも、第１基板３０ｂ１上の第１導電回路９３と第２基板３０ｂ２上の第２導電回路９４を接続しておいてもよい。この場合、フレキシブル回路コネクタ８０Ｂは、第１導電回路９３と第２導電回路９４が切断した際のバックアップ回路として機能する。
【００６５】
次にフレキシブル回路コネクタ８０Ｂについて更に述べる。
【００６６】
図５Ａ、図５Ｂ、図６Ａおよび図６Ｂに示すように、フレキシブル回路コネクタ８０Ｂは、絶縁性基材８１と、絶縁性基材８１の一側に設けられた一側端子部８３と、絶縁性基材８１の他側に設けられた他側端子部８４と、これら一側端子部８３と他側端子部８４とを接続する複数の導電部（導電インキ）８２とを有する。
【００６７】
この場合、導電部８２は一側端子部８３から他側端子部８４まで直線状に延びている。
【００６８】
また一側端子部８３および他側端子部８４上には、ヒートシール時に異方導電性能を発現する異方導電性接着剤８７が設けられている。
【００６９】
ところで、一側端子部８３は第１基板３０ｂ１上の第１導電回路９３に接続される端子部であり、他側端子部８４は第２基板３０ｂ２上の第２導電回路９４に接続される端子部である。
【００７０】
また絶縁性基材８１上には、一側端子部８３と一側端子部８３上の異方導電性接着剤８７と、他側端子部８４と他側端子部８４上の異方導電性接着剤８７を露出させ、導電部８２上を覆ってアクリルからなる絶縁層８８が設けられている。
【００７１】
絶縁層８８の材質としては、特に限定はなく、ビニル系、ゴム系などの材料を使用できる。また、図７Ａに示すように、フレキシブル回路コネクタ８０Ｂの絶縁層８８として、異方導電性接着剤製のものを使用することもできる。
【００７２】
図７Ａにおいて、導電部８２上に同一の異方導電性接着剤を印刷することにより、異方導電性接着剤からなり異方導電性能を発現する予定となる異方導電性能発現予定部８７ａと、異方導電性能を発現しない異方導電性接着剤製の絶縁層８８とを同時に形成することができ、製造効率の向上を図ることができる。
【００７３】
図７Ｂに示すように、フレキシブル回路コネクタ８０Ｂを第１導電回路９３または第２導電回路９４にヒートシールする際、異方導電性接着剤からなる異方導電性能発現予定部８７ａがヒートシールされて、異方導電性能を発現する異方導電性能発現部８７ｂに変わる。図７Ｂにおいて、絶縁層８８は、異方導電性接着剤からなるが、異方導電性能は発現していない。
【００７４】
なお、フレキシブル回路コネクタ８０Ｂの絶縁性基材８１は、柔軟性基材、例えばポリエチレンテレフタレートまたはポリブチレンテレフタレート製の基材からなる。そしてフレキシブル回路コネクタ８０Ｂは一側端子部８３および他側端子部８４を下方に向けて、一側端子部８３と第１基板３０ｂ１の第１導電回路９３を接続させ、他側端子部８４と第２基板３０ｂ２の第２導電回路９４とを接続させて、第１導電回路９３と第２導電回路９４とを接続する（図６Ａおよび図６Ｂ参照）。
【００７５】
このように最下層基板３０ｂの第１基板３０ｂ１と第２基板３０ｂ２との間に折曲部６４Ａを跨いで、第１導電回路９３と第２導電回路９４を接続してフレキシブル回路コネクタ８０Ｂを設けることにより、最下層基板３０ｂを折曲部６４Ａを介して繰り返し折り曲げたり拡げたりした場合であっても、フレキシブル回路コネクタ８０Ｂが破断することはない。このことにより、第１基板３０ｂ１の第１導電回路９３と第２基板３０ｂ２の第２導電回路９４との間で、破断したり破損することなく、常に安定的に第１導電回路９３と第２導電回路９４との間の導通を得ることができる。
【００７６】
次に紙基板３０に対するフレキシブル回路コネクタ８０Ａ，８０Ｂの取り付け構造について述べる。ここでは紙基板３０に対するフレキシブル回路コネクタ８０Ｂの紙基板３０に対する取り付け構造を示すが、フレキシブル回路コネクタ８０Ａの取り付け構造も、フレキシブル回路コネクタ８０Ｂの取り付け構造と同一である。
【００７７】
図９Ａおよび図９Ｂに示すように、フレキシブル回路コネクタ８０Ｂは、一側端子部８３および他側端子部８４を下方に向けて、第１基板３０ｂ１と第２基板３０ｂ２との間の折曲部６４Ａを跨いで設けられ、最下層基板３０ｂのうち第１基板３０ｂ１の第１導電回路９３と、第２基板３０ｂ２の第２導電回路９４との間を接続している。
【００７８】
この場合、第１基板３０ｂ１上にフレキシブル回路コネクタ８０Ｂが固着される第１固着部４１ａが設けられ、第２基板３０ｂ２上にフレキシブル回路コネクタ８０Ｂが固着される第２固着部４１ｂが設けられている。
【００７９】
さらにフレキシブル回路コネクタ８０Ｂは、第１基板３０ｂ１側の第１固着部４１ａに接着される第１接着部４２ａと、第２基板３０ｂ２側の第２固着部４１ｂに接着される第２接着部４２ｂとを有する。
【００８０】
そして第１基板３０ｂ１と第２基板３０ｂ２を平坦状に延ばした場合における、第１固着部４１ａと第２固着部４１ｂとの間の折曲部６４Ａに直交する方向の距離をａとし、フレキシブル回路コネクタ８０Ｂを平坦状に延ばした場合における第１接着部４２ａと第２接着部４２ｂとの間の折曲部６４Ａに直交する方向の距離をｂとしたとき、ａ＜ｂとなっている（図９Ｂ参照）。
【００８１】
この場合、０．０５×ａ＜ｂ−ａ＜０．１×ａとなっていることが好ましく、例えばａ＝２０ｍｍの場合、（ｂ−ａ）は１ｍｍ〜２ｍｍの範囲にある。
【００８２】
上述のように第１固着部４１ａと第２固着部４１ｂとの間の距離ａより、第１接着部４２ａと第２接着部４２ｂとの間の距離ｂを大きくすることにより、第１基板３０ｂ１と第２基板３０ｂ２を平坦状に延ばした際、フレキシブル回路コネクタ８０Ｂは上方に向かってたわんだ状態で第１基板３０ｂ１と第２基板３０ｂ２に固着される（図９Ａ参照）。
ここで「上方」とは、情報記録装置１を図２の状態に配置した場合において、「情報入力面２」側になることを意味する。
【００８３】
フレキシブル回路コネクタ８０Ｂが、このように第１基板３０ｂ１と第２基板３０ｂ２に取り付けられているため、フレキシブル回路コネクタ８０Ｂを外側に向けて第１基板３０ｂ１と第２基板３０ｂ２を折り畳んだ場合であっても、第１固着部４１ａと第１接着部４２ａとの間、あるいは第２固着部４１ｂと第２接着部４２ｂとの間の接着箇所が剥がれたり、これによって紙基板３０からフレキシブル回路コネクタ８０Ｂが外れることはない。
【００８４】
すなわち、通常の使用形態のもとでは、第１基板３０ｂ１と第２基板３０ｂ２はフレキシブル回路コネクタ８０Ｂを内側に向けて折り畳まれる。この場合、第１基板３０ｂ１と第２基板３０ｂ２を折り畳むことにより、フレキシブル回路コネクタ８０Ｂは図９Ａの状態より更に外方へ向けてたわむことになる。
【００８５】
また通常の使用形態と逆方向に、すなわち第１基板３０ｂ１と第２基板３０ｂ２をフレキシブル回路コネクタ８０Ｂを外側に向けて折り畳んだとしても、第１基板３０ｂ１と第２基板３０ｂ２を平坦状に延ばした状態でフレキシブル回路コネクタ８０Ｂはすでに上方へ向けてたわんだ状態となっているため、フレキシブル回路コネクタ８０Ｂに過度な引っ張り力が働いて第１固着部４１ａと第１接着部４２ａとの間、あるいは第２固着部４１ｂと第２接着部４２ｂとの間の接着箇所が剥がれたり、紙基板３０からフレキシブル回路コネクタ８０Ｂが外れることはない。
【００８６】
なお、上述のようにａ、ｂの関係は０．０５×ａ＜ｂ−ａ＜０．１×ａとなっているが、この場合、ｂとａとの差が０．１×ａより大きくなると、第１基板３０ｂ１と第２基板３０ｂ２を平坦状に延ばした状態でフレキシブル回路コネクタ８０Ｂが大きく上方へたわんでしまう。一方、ｂとａとの差が０．０５×ａより小さくなると、第１基板３０ｂ１と第２基板３０ｂ２をフレキシブル回路コネクタ８０Ｂを外側に向けて折り畳んだ際、フレキシブル回路コネクタ８０Ｂに引っ張り力が働いて、紙基板３０からフレキシブル回路コネクタ８０Ｂが剥離してしまう。
【００８７】
以上のように本実施の形態によれば、フレキシブル回路コネクタ８０Ａ，８０Ｂを内側に向けて紙基板３０を折り畳んだ場合、あるいはフレキシブル回路コネクタ８０Ａ，８０Ｂを外側に向けて紙基板３０を折り畳んだ場合、いずれの場合もフレキシブル回路コネクタ８０Ａ，８０Ｂが紙基板３０から剥離したり外れたりすることはない。
【００８８】
ところで、上述のように最下層基板３０ｂの２本の折曲部６４Ａ上に設置されたフレキシブル回路コネクタ８０Ａ，８０Ｂは、フレキシブル回路コネクタ８０Ａ，８０Ｂを内側にして紙基板３０を折り曲げる際、最下層基板３０ｂから浮き上がる。
【００８９】
このためフレキシブル回路コネクタ８０Ａ，８０Ｂの浮き上がりを防止するため、フレキシブル回路コネクタ８０Ａ，８０Ｂの両側に、折り曲げ時にフレキシブル回路コネクタ８０Ａ，８０Ｂを押える係止片１１１，１１１Ａが設けられている。
【００９０】
なおフレキシブル回路コネクタ８０Ａ，８０Ｂの浮き上がりを防止する係止片１１１，１１１Ａの構造は、フレキシブル回路コネクタ８０Ａ，８０Ｂの両方に共通するものなので、ここでは便宜上フレキシブル回路コネクタ８０Ｂの浮き上がりを防ぐ係止片１１１，１１１Ａについて図５Ａおよび図５Ｂにより説明する。
【００９１】
図５Ａおよび図５Ｂに示すように、フレキシブル回路コネクタ８０Ｂの浮き上がりを抑えるため、フレキシブル回路コネクタ８０Ｂの両端部に係止片１１１，１１１Ａが設けられている。
【００９２】
この場合、フレキシブル回路コネクタ８０Ｂは最下層基板３０ｂの第１基板３０ｂ１と第２基板３０ｂ２間の折曲部６４Ａ上に設けられている。またフレキシブル回路コネクタ８０Ｂの浮き上がりを抑える係止片１１１はフレキシブル回路コネクタ８０Ｂの一端側、具体的には中間層基板３０ｃの第１側板３０ｃ１および第２側板３０ｃ２のうちの一方、例えば第２側板３０ｃ２側に設けられている。
【００９３】
このように第２側板３０ｃ２側に係止片１１１を設けることにより、フレキシブル回路コネクタ８０Ｂの右端部を係止片１１１により押えることができる。また係止片１１１の基端に、紙基板３０を貫通して形成された開口１１２が形成されている。
【００９４】
この開口１１２は、最下層基板３０ｂ上に中間層基板３０ｃを重ね合わせ、更に最下層基板３０ｂの第１基板３０ｂ１と中間層基板３０ｃの第１側板３０ｃ１を最下層基板３０ｂの第２基板３０ｂ２と中間層基板３０ｃの第２側板３０ｃ２上に折り曲げて重ね合わせる際、係止片１１１によって係止片１１１が取付けられた第２側板３０ｃ２外面を傷を付けることを防ぐものである。
【００９５】
すなわち、係止片１１１の基端に開口１１２を設けない場合、最下層基板３０ｂの第１基板３０ｂ１と中間層基板３０ｃの第１側板３０ｃ１を最下層基板３０ｂの第２基板３０ｂ２と中間層基板３０ｃの第２側板３０ｃ２上に重ね合わせる際、この係止片１１１が剛性をもって、係止片１１１が取付けられた第２側板３０ｃ２の外面を傷付けてしまう。
【００９６】
これに対して本実施の形態によれば、折り曲げ時において係止片１１１は、第２側板３０ｃ２に基端において当接することになるが、係止片１１１はこの基端に開口１１２を設けたので、第２側板３０ｃ２の基端が剛性をもつことはなく、第２側板３０ｃ２の外面に傷を付けることもない。
【００９７】
同様にフレキシブル回路コネクタ８０Ｂの他端側には、フレキシブル回路コネクタ８０Ｂの浮き上がりを防止する係止片１１１Ａが第１追加側板３０ａ１または第２追加側板３０ａ２のうちの一方、例えば第２追加側板３０ａ２側に設けられ、係止片１１１Ａの基端には、開口１１２Ａが形成されている。
【００９８】
また第２側板３０ｃ２に設けられた係止片１１１の開口１１２および第２追加側板３０ａ２に設けられた係止片１１１Ａの開口１１２Ａは、いずれも最下層基板３０ｂに横方向に設けられた一方の折曲線６４の延長線上に配置されていることが好ましい。
【００９９】
ところで、第２追加側板３０ａ２に係止片１１１Ａを設けるとともに、係止片１１１Ａの基端に開口１１２Ａを設けた例を示したが、これに限らず第２追加側板３０ａ２に係止片１１１Ａを設けることなく、第２側板３０ｃ２のうち紙基板３０を折り曲げた際、フレキシブル回路コネクタ８０Ｂの他端側に位置する部分にフレキシブル回路コネクタ８０Ｂの浮き上がりを押える係止片１１３を設けるとともに、この係止片１１３の基端に切り欠き１１４を設けてもよい。
【０１００】
ところで、上記実施の形態において、最下層基板３０ｂの基板３０ｂ１を第１基板とし、基板３０ｂ２を第２基板とするとともに、中間層基板３０ｃの基板３０ｃ１を第１側板とし、基板３０ｃ２を第２側板とするとともに、最上層基板３０ａの基板３０ａ１を第１追加側板とし、基板３０ａ２を第２追加側板とする例を示した。
【０１０１】
これに限らず、最下層基板３０ｂの基板３０ｂ１を第１基板とし、基板３０ｂ２を第２基板とするとともに、最上層基板３０ａの基板３０ａ１を第１側板とし、基板３０ａ２を第２側板とするとともに、中間層基板３０ｃの基板３０ｃ１を第１追加側板とし、基板３０ｃ２を第２追加側板としてもよい。
【０１０２】
また上述のように、紙基板３０のうち分割基板３０ｂに、通信モジュール１０が配置されるが、この分割基板３０ｂ上であって、通信モジュール１０の裏面にフレキシブル確認回路１００が介在される（図５Ａ参照）。このフレキシブル確認回路１００はいずれかのボタン、例えばスタートボタン３、取り消しボタン４、錠剤５のケース５ａ、選択ボタン６および選択ボタン７のいずれかのボタンが押圧された際に、この押圧確認を行うＬＥＤ発光部１０２等の押圧確認手段を含む。
【０１０３】
具体的には、図５Ａおよび図８に示すように、フレキシブル確認回路１００はビニル系、ゴム系の材料からなる絶縁性のフレキシブル基材１０１と、このフレキシブル基材１０１上に実装されたＬＥＤ発光部１０２と、フレキシブル基材１０１上に設けられ、ＬＥＤ発光部１０２と通信モジュール１０とを接続するとともに、線状に形成された導電部１０３とを有する。
【０１０４】
ここで、図８は分割基板３０ｂに配置される通信モジュールの裏面と、この通信モジュール１０の裏面上に取付けられたフレキシブル確認回路１００とを示す。
【０１０５】
そしてフレキシブル確認回路１００のＬＥＤ発光部１０２は、紙基板３０のうち分割基材３０ａに形成された発光部用窓１０５を介して外方へ露出する。そしてＬＥＤ発光部１０２は、ボタン３、４、５ａ、６および７のうちいずれかのボタンが患者により押圧された際、通信モジュール１０の制御部２２により発光して発光部用窓１０５から発光状態を外方へ現わすようになっている。
【０１０６】
このようにＬＥＤ発光部１０２は、ボタンが押圧された際に押圧確認を行う押圧確認手段として機能するが、このような押圧確認手段として他の押圧確認手段、例えば他の発光部を用いてもよく、発光部以外に押圧確認手段としては振動を発生させる振動子を用いてもよい。
【０１０７】
ところでＬＥＤ発光部１０２としては、例えばチップ状のＬＥＤ素子を用いることができ、ＬＥＤ発光部１０２の電源は通信モジュール１０内のボタン電池から供給される。
【０１０８】
次に、紙基板３０に対してフレキシブル確認回路１００を設置する方法について図５および図８により説明する。
【０１０９】
まずフレキシブル基材１０１上に印刷等により線状の導電部１０３が形成され、この導電部１０３の一側端部（図８の左側端部）に、チップ状のＬＥＤ素子からなるＬＥＤ発光部１０２が導電性接着剤等により実装される。このようにしてフレキシブル基材１０１と、導電部１０３と、ＬＥＤ発光部１０２とを有するフレキシブル確認回路１００が構成される。
【０１１０】
次に、このようにして構成されたフレキシブル確認回路１００は、導電部１０３およびＬＥＤ発光部１０２を通信モジュール１０側へ向けて、通信モジュール１０の裏面に取付けられる。本実施形態においては、フレキシブル確認回路１００は、通信モジュール１０のスピーカ端子部に接続されている。この場合、スタートボタン３、取り消しボタン４、錠剤５のケース５ａ、選択ボタン６および選択ボタン７のいずれかのボタンが押圧された際にスピーカからブザー音が鳴るように設定しておくことで、ブザー音に連動してＬＥＤ発光部１０２が発光する。また、ボタン毎にブザー音を変えておくとＬＥＤの発光も変化する為、発光状態でどのボタンが押されたか視覚的に確認することが可能になる。
【０１１１】
このとき、通信モジュール１０は、フレキシブル確認回路１００の導電部１０３の他側端部（図８の右側端部）に導電性接着剤を用いて接続される。
【０１１２】
このように予めフレキシブル確認回路１００と通信モジュール１０とを接続しておき、互いに接続された通信モジュール１０とフレキシブル確認回路は、その後、紙基板３０の分割基板３０ｂ上に載置される。
【０１１３】
この際、通信モジュール１０は分割基板３０ｂ上に設けられた導電回路１８Ａに、回路コネクタ９０を介して接続される。
【０１１４】
使用に際して、患者（使用者）がいずれかのボタン、例えばスタートボタン３、取り消しボタン４、錠剤５のケース５ａ、選択ボタン６および選択ボタン７のうちいずれかのボタンを押圧した際、通信モジュール１０の制御部２２により、フレキシブル確認回路１００のＬＥＤ発光部１０２を発光させる。このときＬＥＤ発光部１０２の発光状態は、発光部用窓１０５から外方へ現れる。このことにより、患者は、自らがいずれかのボタンを押圧したことを直ちに確認することができる。
【０１１５】
一般に紙基板３０に設けられたボタン３、４、５ａ、６、７を押圧した場合、この押圧したという感覚はボタンから得ることはできない。このためボタン３、４、５ａ、６、７を押圧しても押圧したか否か不安になることも考えられるが、本実施の形態によれば、ボタン３、４、５ａ、６、７を押圧した場合、患者は直ちに発光部用窓１０５を介してＬＥＤ発光部１０２の発光状態を確認することができるため、ボタンを押圧したことを直ちに確認することができる。
【０１１６】
また、フレキシブル確認回路１００は、予めフレキシブル基材１０１上にＬＥＤ発光部１０２を実装することにより得られ、このようにして得られたフレキシブル確認回路１００を通信モジュール１０に簡単に接続することができる。またフレキシブル確認回路１００が接続された通信モジュール１０は、紙基板３０の分割基板３０ｂ上に設けられた導電回路１８Ａに回路コネクタ９０を介して接続されるため、紙基板３０にて対して通信モジュール１０およびフレキシブル確認回路１００を容易かつ簡単に取り付けることができる。
【０１１７】
すなわち、フレキシブル確認回路１００を用いることなく、紙基板３０の分割基板３０ｂ上にＬＥＤ発光部を設け、このＬＥＤ発光部と通信モジュールを別個の導電線に接続することも考えられるが、導電線の引き回し作業、あるいは導電部と通信モジュールおよびＬＥＤ発光部との接続作業を紙基板３０上で実行する必要があり、接続作業は煩雑である。
【０１１８】
＜変形例＞
次に本実施の形態の変形例を図１０により説明する。
【０１１９】
図１０に示す変形例は、紙基板３０の各分割基板３０ａ，３０ｃが横方向に延びる分離線６５を介して三等分に折り畳まれ、分割基板３０ｂが横方向に延びる単一の折曲線６４を介して三等分に折り畳まれ、最下層基板３０ｂの第１基板３０ｂ１と第２基板３０ｂ２との間に折曲線（折曲部）６４を跨いでフレキシブル回路コネクタ８０Ｂを設けるとともに、第２基板３０ｂ２と第３基板３０ｂ３との間に折曲線（折曲部）６４を跨いでフレキシブル回路コネクタ８０Ａを設けたものである。
【０１２０】
また、本変形例において、フレキシブル回路コネクタ８０Ａ，８０Ｂは、図１乃至図９に示す実施の形態と同様の構造をもつ。
【０１２１】
すなわちフレキシブル回路コネクタ８０Ｂについて説明すると、第１基板３０ｂ１と第２基板３０ｂ２を平坦状に延ばした場合における第１固着部４１ａと第２固着部４１ｂとの間の折曲部６４に直交する方向の距離をａとし、フレキシブル回路コネクタ８０Ｂを平坦状に延ばした場合における第２接着部４２ａと第２接着部４２ｂとの間の折曲線６４に直交する方向の距離をｂとしたとき、ａ＜ｂとなっている（図９Ｂ参照）。
【０１２２】
このため第１基板３０ｂ１と第２基板３０ｂ２を平坦状に延ばした際、フレキシブル回路コネクタ８０Ｂは上方へ向かってたわんだ状態で第１基板３０ｂ１と第２基板３０ｂ２に固着される（図９Ａ参照）。
【０１２３】
図１０に示す変形例において、他の構成は図１乃至図９に示す実施の形態と略同一である。図１０に示す変形例において、図１乃至図９に示す実施の形態と同一部分には同一符号を付して詳細な説明は省略する。
【０１２４】
次に本変形例について、図１０を用いて詳細に説明する。
【０１２５】
図１０は服薬記録カード１の元となる紙基板３０を展開した図である。図１０の紙基板３０を縦方向に延びる折り目６１で三等分に分割した各分割基板３０ａ，３０ｂ，３０ｃには、それぞれ異なる導電パターン１８や切り欠き等が設けられる。なお、これら３つの分割基板３０ａ〜３０ｃは、折り目６１で折り曲げ可能とされており、物理的に切り離されるものではない。また、各分割基板３０ａ，３０ｃは上述のように分離線６５により３つに分離され、分割基板３０ｂは折曲線６４を有し、各分割基板３０ａ，３０ｂ，３０ｃは横方向に延びる各々の分離線６５あるいは折曲線６４を介して三等分に折り畳まれる。  
【０１２６】
図１０の中央の分割基板３０ｂは、最下層に配置されて導電パターン１８が形成される最下層基板３０ｂである。その右側の分割基板３０ｃは、主に切り欠き６２とミシン目６３を有し、最下層基板３０ｂの上に配置される中間層基板３０ｃである。最下層基板３０ｂの左側の分割基板３０ａは、スイッチ接点の導通／遮断を行う導電パターン３８を有し、中間層基板３０ｃの上に配置される最上層基板３０ａである。
【０１２７】
後述するように、三等分された最下層基板３０ｂに中間層基板３０ｃを折り畳んで熱圧着した後に、その上に錠剤５を含む成形シートを載せ、その上に最上層基板３０ａを折り畳んで熱圧着する。
【０１２８】
最下層基板３０ｂの上に中間層基板３０ｃを折り畳んで熱圧着する前に、最下層基板３０ｂに通信モジュール１０が接合され、その上に最上層基板３０ａが熱圧着される。このように、通信モジュール１０は、最下層基板３０ｂと最上層基板３０ａの間に挟み込まれる。これにより、最下層基板３０ｂの表面に形成された導電パターン１８と通信モジュール１０は、服薬記録カード１の完成状態では、外見に現れない。同様に、最上層基板３０ａ上の導電パターンも、中間層基板３０ｃの上に折り畳まれて熱圧着されるため、外見に現れない。
【０１２９】
第１基板３０ｂ１にはスタートボタン３に対応したスイッチ接点３１と、取り消しボタン４に対応したスイッチ接点３２が設けられ、第２基板３０ｂ２には、錠剤５の各ケースに対応した計６つのスイッチ接点３３が設けられ、第３基板３０ｂ３には、患者の症状および症状の程度を選択する各選択ボタンに対応した計２０個のスイッチ接点３４〜３７が設けられている。
【０１３０】
これらスイッチ接点３１〜３７のうち、錠剤５の各ケースに対応した計６つのスイッチ接点３３は初期状態で導通しており、それ以外の全てのスイッチ接点３１，３２，３４〜３７は初期状態で遮断されている。
【０１３１】
錠剤５の各ケースに対応したスイッチ接点３３は、ケースを押圧して錠剤５を取り出す際に物理的に破断されて、電気的導通が遮断される。それ以外のスイッチ接点３１，３２，３４〜３７は、対応するボタンを押圧したときに、情報入力面２の裏面側に設けられた円形の導電パターン３８が対応するスイッチ接点に接触して、押圧している間だけ一時的に導通する。
【０１３２】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【０１３３】
図１０に示す各スイッチ接点３１〜３７の一端は、導電パターン１８を介して第１基板３０ｂ１上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、第１〜第３基板３０ｂ３の外縁に沿って、他の導電パターンとスイッチ接点を取り囲むように形成されている。
【０１３４】
この接地パターン１８ａは、ノイズの低減を図るために、他の導電パターンよりも太く形成されている。
【０１３５】
ここで上述した導電パターン１８と接地パターン１８ａとにより、導電回路１８Ａが構成される。また導電回路１８Ａに端子部３９が接続される。また紙基板３０と、紙基板３０上に形成された導電回路１８Ａとにより通信モジュール１０が接合される前の回路基板７０が構成される。
【０１３６】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報と、接点の状態が変化した時刻情報とを記憶する。
【０１３７】
第３基板３０ｂ３上の各スイッチ接点は、Ｘ方向に沿って配置される第１ボタン列に対応する第１スイッチ接点列３４と、第１ボタン列に略平行にＹ方向に沿って配置される複数の第２ボタン列に対応する複数の第２スイッチ接点列３５〜３７とにグループ分けされている。
【０１３８】
第２スイッチ接点列３５〜３７のそれぞれにおける計５個のスイッチ接点の一端側はいずれも共通の端子に接続され、他端側はいずれも接地端子に接続されており、これら５個のスイッチ接点は並列接続されている。図１０の例では、計５個のスイッチ接点が並列接続された第２スイッチ接点列３５〜３７が計３個設けられている。
【０１３９】
並列接続された各スイッチ接点列３５〜３７内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点列３５〜３７内のスイッチ接点の状態を変化させる前に、第１スイッチ接点列３４内のスイッチ接点の状態を変化させるようにルール化することで、第２スイッチ接点列３５〜３７内のどのスイッチ接点の状態が変化したかを特定している。
【０１４０】
より具体的には、まず第１スイッチ接点列３４内のいずれかのスイッチ接点の状態を変化させて、このスイッチ接点のＸ方向位置を検出する。そして、同じＸ方向位置にある第２スイッチ接点列３５〜３７内の計３個のスイッチ接点を選択候補として決定する。次に、これら３個のスイッチ接点の中で、状態が変化したものがあれば、そのスイッチ接点の情報を通信モジュール１０に伝達する。
【０１４１】
このように、第１スイッチ接点列３４内のスイッチ接点の状態変化情報と、第２スイッチ接点列３５〜３７内のスイッチ接点の状態変化情報とを組み合わせることで、第２スイッチ接点列３５〜３７内の特定のスイッチ接点の状態を正しく通信モジュール１０に伝達することができる。
【０１４２】
複数のスイッチ接点を並列接続して、一端側を共通の端子に接続することは、端子部３９内の端子の総数と導電パターン１８の数を削減できることから、特にパターン面積が限られている場合に有効である。第２スイッチ接点列３５〜３７内の複数のスイッチ接点を並列接続しても、第２スイッチ接点列３５〜３７と平行に配置された第１スイッチ接点列３４内のスイッチ接点の状態と組み合わせることで、第２スイッチ接点列３５〜３７内の特定のスイッチ接点の状態を正確に特定できるため、実用上の問題は起きない。  
このように、本実施形態に係る服薬記録カード１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【０１４３】
ところで、上述のように各分割基板３０ａ，３０ｂ，３０ｃは、横方向に延びる各々の分離線６５あるいは折曲線６４を介して三等分に折り畳まれる。
【０１４４】
このうち最下層基板３０ｂには、導電パターン１８と接地パターン１８ａとからなる導電回路１８Ａが設けられている。また最下層基板３０ｂの折曲線６４近傍には、折曲線６４を介して最下層基板３０ｂを繰り返し折り曲げた場合でも、導電回路１８Ａが破断したり破損することを防止するため、フレキシブル回路コネクタ８０Ａ，８０Ｂが設けられている。
【０１４５】
具体的には最下層基板３０ｂは、横方向に延びる２本の折曲線６４を介して三等分に折り畳まれるが、この場合、最下層基板３０ｂは２本の折曲線６４により、第１基板３０ｂ１と第２基板３０ｂ２と第３基板３０ｂ３とに区画され、第１基板３０ｂ１と第２基板３０ｂ２との間に折曲線６４を跨いでフレキシブル回路コネクタ８０Ｂが設けられ、第２基板３０ｂ２と第３基板３０ｂ３との間に折曲線６４を跨いでフレキシブル回路コネクタ８０Ａが設けられている。
【０１４６】
フレキシブル回路コネクタ８０Ａ，８０Ｂは、略同様の構造をもつため、ここではフレキシブル回路コネクタ８０Ａについて図６Ａおよび図６Ｂにより説明する。
【０１４７】
そしてフレキシブル回路コネクタ８０Ａ，８０Ｂは、いずれも図９Ａおよび図９Ｂに示す取り付け構造により紙基板３０に取り付けられている。
【０１４８】
図１０に示す変形例においても、フレキシブル回路コネクタ８０Ａ，８０Ｂを内側に向けて紙基板３０を折曲線６４に沿って折り畳んだ場合、あるいはフレキシブル回路コネクタ８０Ａ，８０Ｂを外側に向けて紙基板３０を折曲線に沿って折り畳んだ場合、いずれの場合であってもフレキシブル回路コネクタ８０Ａ，８０Ｂが紙基板３０から剥離したり外れたりすることはない。
【０１４９】
なお、本実施の形態にかかる情報記録装置は、服薬記録カードに限らず、種々の目的（例えば、糖尿病治療経過記録カード、リウマチ用治療経過記録カード、疼痛・服薬記録カードなど）に適用可能である。用途も、必ずしも医療目的でなくてもなく、生活記録、アンケート収集など、何らかの情報を記録して、記録した情報を無線通信でホストコンピュータに送信可能なものであれば、どのような用途に用いてもよい。
【符号の説明】
【０１５０】
１  服薬記録カード
２  情報入力面
３  スタートボタン
４  取り消しボタン
５  薬（錠剤）
５ａ  ケース
６（６ａ〜６ｅ）  選択ボタン
７（７ａ〜７ｃ）  選択ボタン
１０  通信モジュール
１１  樹脂基板
１２  ＡＳＩＣ
１３  水晶振動子
１４  ボタン電池
１５  スピーカ
１６  パッド
１７  アンテナパターン
１８  導電パターン
１８Ａ  導電回路（配線）
１８ａ  接地パターン
３０  紙基板
３０ａ、３０ｂ、３０ｃ  分割基板
３０ａ１，３０ａ２，３０ａ３  基板
３０ｂ１，３０ｂ２，３０ｂ３  基板
３０ｃ１，３０ｃ２，３０ｃ３  基板
３１〜３７  スイッチ接点
３９  端子部
４１ａ  第１固着部
４１ｂ  第２固着部
４２ａ  第１接着部
４２ｂ  第２接着部
６１  折曲線
６２  孔（切り欠き）
６３  ミシン目
６４  折曲線
６４Ａ  折曲部
７０  回路基板（配線基板）
８０Ａ，８０Ｂ  フレキシブル回路コネクタ
９０  回路コネクタ
１００  フレキシブル確認回路
１０１  フレキシブル基材
１０２  ＬＥＤ発光部
１０３  導電部
【図１】
2020035796.tif 000003
【図２】
2020035796.tif 000004
【図３】
2020035796.tif 000005
【図４】
2020035796.tif 000006
【図５Ａ】
2020035796.tif 000007
【図５Ｂ】
2020035796.tif 000008
【図６Ａ】
2020035796.tif 000009
【図６Ｂ】
2020035796.tif 000010
【図７Ａ】
2020035796.tif 000011
【図７Ｂ】
2020035796.tif 000012
【図８】
2020035796.tif 000013
【図９Ａ】
2020035796.tif 000014
【図９Ｂ】
2020035796.tif 000015
【図１０】
2020035796.tif 000016